(57)【特許請求の範囲】
【請求項１】
炭素数３〜５の低級アルカンを分子状酸素の存在下に気相酸化脱水素して対応するオレフィンを製造するための酸化脱水素用触媒であって、下記一般式（１）
ＭｎαＥ1βＥ2γＯx                  （１）
（ここでＭｎはマンガン、Ｏは酸素を表し、Ｅ1は、Ｐ、Ａｓ、Ｓｂ、Ｂ、Ｓ、Ｓｅ，Ｔｅ、Ｆ、Ｃｌ、Ｂｒ、Ｉ、Ｎｂ、Ｔａ、Ｗ、ＲｅおよびＣｕからなる群より選ばれる少なくとも１種の元素であり、Ｅ2はＣｒ、Ｆｅ、Ｃｏ、Ｎｉ、Ａｇ、Ａｕ、Ｚｎ、Ｔｌ、Ｓｎ、Ｐｂ，Ｂｉ、Ｌｉ、Ｎａ、Ｋ、Ｒｂ、Ｃｓ、Ｍｇ、Ｃａ、Ｓｒ、Ｂａ、Ｙ、Ｌａ、Ｃｅ、ＮｄおよびＳｍからなる群より選ばれる少なくとも１種の元素であり、α，β、γおよびｘは各々Ｍｎ、Ｅ1、Ｅ2および酸素の原子数を表し、α＝１のときβ＝０．０１〜１０、γ＝０〜５、ｘは酸素以外の元素の酸化状態によって定まる数値である。）
により表される組成を有することを特徴とする低級アルカン酸化脱水素用触媒。
【請求項２】
上記低級アルカンがプロパンであって、プロパンを分子状酸素の存在下に気相酸化脱水素して対応するプロピレンを製造するための請求項１記載の触媒。
【請求項３】
一般式（１）において、α＝１のときβ＝０．０２〜２、γ＝０〜１である請求項１記載の触媒。
【請求項４】
Ｅ1におけるＳが硫酸イオン（ＳＯ42-）として添加されることを特徴とする請求項１、２または３記載の触媒。
【請求項５】
硫酸イオンが硫酸塩により添加されることを特徴とする請求項４記載の触媒。
【請求項６】
該触媒の調製方法が３００℃以下の乾燥工程のみを含み、３００℃を越える高温での焼成工程を含まないものである請求項１〜５のいずれかに記載の低級アルカンの酸化脱水素用触媒。
【請求項７】
該触媒が３００℃以下の温度で乾燥したのち３００℃を越える高温で焼成して調製されたものである請求項１〜５のいずれかに記載の低級アルカンの酸化脱水素用触媒。
【請求項８】
炭素数３〜５の低級アルカンを分子状酸素の存在下に気相酸化脱水素して対応するオレフィンを製造する方法において、触媒として請求項１記載の触媒を用いることを特徴とするオレフィンの製造方法。
【請求項９】
請求項１記載の触媒を用いて、炭素数３〜５の低級アルカンを分子状酸素の存在下に気相酸化脱水素して得られたオレフィンを、酸素の存在下に気相酸化して不飽和アルデヒドおよび不飽和酸を得ることを特徴とする低級アルカンから不飽和アルデヒドおよび不飽和酸を製造する方法。
【請求項１０】
請求項９で得られた不飽和アルデヒドを分子状酸素の存在下に気相酸化して得ることを特徴とする低級アルカンから不飽和酸を製造する方法。
【発明の詳細な説明】
【０００１】
【発明の属する技術分野】
本発明は低級アルカン酸化脱水素用触媒およびこの触媒を用いたオレフィンの製造方法に関する。詳しくは、本発明は、炭素数２〜５の低級アルカン（以下単に「低級アルカン」という場合もある。）を分子状酸素の存在下に気相酸化脱水素して対応するオレフィンを製造するに好適な触媒、およびこの触媒を用いて低級アルカンを分子状酸素により気相酸化脱水素して高収率で対応するオレフィンを製造する方法に関する。
【０００２】
また本発明は、炭素数２〜５の低級アルカンを分子状酸素の存在下に気相酸化脱水素して得られたオレフィンから対応する不飽和アルデヒドおよび／または不飽和カルボン酸を製造する方法に関する。
【０００３】
【従来の技術】
低級オレフィン、特にプロピレンおよびイソブテンの製造方法として、近年低級アルカンの単純脱水素プロセスが工業化されている。しかし、このプロセスは、平衡の制約から、高転化率を得ることが困難で、なおかつ高温を要するという本質的な問題をかかえている。さらに、短時間での触媒の劣化が避けられず、スイッチコンバーターを用いるなどして、頻繁に触媒の再賦活を行う必要がある。このため、プラント建設費や、ユーティリティー費用が高くつき、立地条件によっては経済的になりたたず現時点での実用化は限られている。
【０００４】
一方、平衡上の制約がない酸化脱水素により低級アルカンから低級オレフィンを製造する試みは、かなり以前から行われており、種々の触媒系が提案されている。例えば、Ｃｏ―Ｍｏ酸化物系触媒（ＵＳ4,131,631）、Ｖ−Ｍｇ酸化物系触媒（ＵＳ4,777,319）、Ｎｉ−Ｍｏ酸化物系触媒（ＥＰ379,433Ａ1）、ＣｅＯ2／ＣｅＦ3系触媒（ＣＮ1,073,893Ａ）、Ｍｇ−Ｍｏ系触媒（Ｎｅｆｔｅｋｈｉｍｉｙａ（１９９０），３０（２），２０７−１０）、Ｖ2Ｏ5／Ｎｂ2Ｏ5系触媒（Ｊ．Ｃｈｅｍ．Ｃｏｍｍｕｎ．（１９９１），（８），５５８−９）、希土類バナデート系触媒（Ｃａｔａｌ．Ｌｅｔｔ．（１９９６），３７，（３，４），２４１−６）、Ｂ2Ｏ3／Ａｌ2Ｏ3系触媒（ＡＣＳ  Ｓｙｍｐ．Ｓｅｒ．（１９９６），６３８（Ｈｅｔｅｒｏｇｅｎｅｏｕｓ  Ｈｙｄｒｏｃａｒｂｏｎ  Ｏｘｉｄａｔｉｏｎ）１５５−１６９）などが知られている。しかし、これら公知の触媒は、肝心の酸化脱水素の性能がいずれも非常に低いレベルにあり、工業化にははるかに及ばない状況にある。
【０００５】
さらに、特開平８−２４５４９４にはプロパンを脱水素によって得られたプロピレンを更に酸化してアクリル酸を製造する方法についての開示が見られるが、プロパンを脱水素した際に生成する水素を反応ガスから除去する必要がある。一方、低級オレフィン、特にプロパンからアクロレインおよび／またはアクリル酸およびイソブタンからメタクロレインおよび／またはメタクリル酸を製造する方法として特開平１０−０４５６４３、特開平１０−１１８４９１、特開昭５５−６２０４１、特開平０４−１２８２４７等が開示されている。しかしながら、これら公報に記載されている目的生成物の収量は非常に低く、触媒を含めたプロセスの改良が必要である。
【０００６】
【発明が解決しようとする課題】
本発明は、低級アルカンを分子状酸素により気相酸化脱水素して対応する低級オレフィンを高収率で製造できる新規な酸化脱水素用触媒、およびこの触媒を用いて低級アルカンから高収率で対応するオレフィンを製造する方法を提供することを目的とする。
【０００７】
また本発明は低級アルカンから対応する不飽和アルデヒドおよび／または不飽和カルボン酸を高収率で製造する方法を提供することを目的とする。
【０００８】
【課題を解決するための手段】
本発明者らは、低級アルカンを分子状酸素により酸化脱水素して対応する低級オレフィンを製造するに好適な触媒について鋭意研究の結果、マンガンを必須成分とする触媒、または、この触媒活性成分を耐火性無機担体物質に担持した触媒が優れた酸化脱水素性能を有し、この触媒を用いることにより、高収率で低級オレフィンを製造できることを見いだした。本発明は、この知見に基づいて完成されたものである。
【０００９】
斯くして、本発明によれば、炭素数２〜５の低級アルカンを分子状酸素の存在下に気相酸化脱水素して対応するオレフィンを製造するための酸化脱水素用触媒であって、下記一般式（１）
ＭｎαＥ1βＥ2γＯx                  （１）
（ここでＭｎはマンガン、Ｏは酸素を表し、Ｅ1は、Ｐ、Ａｓ、Ｓｂ、Ｂ、Ｓ、Ｓｅ，Ｔｅ、Ｆ、Ｃｌ、Ｂｒ、Ｉ、Ｎｂ、Ｔａ、Ｗ、ＲｅおよびＣｕからなる群より選ばれる少なくとも１種の元素であり、Ｅ2はＣｒ、Ｆｅ、Ｃｏ、Ｎｉ、Ａｇ、Ａｕ、Ｚｎ、Ｔｌ、Ｓｎ、Ｐｂ，Ｂｉ、Ｌｉ、Ｎａ、Ｋ、Ｒｂ、Ｃｓ、Ｍｇ、Ｃａ、Ｓｒ、Ｂａ、Ｙ、Ｌａ、Ｃｅ、ＮｄおよびＳｍからなる群より選ばれる少なくとも１種の元素であり、α，β、γおよびｘは各々Ｍｎ、Ｅ1、Ｅ2および酸素の原子数を表し、α＝１のときβ＝０．０１〜１０、γ＝０〜５、ｘは酸素以外の元素の酸化状態によって定まる数値である。）
により表される組成を有することを特徴とする低級アルカンの酸化脱水素用触媒が提供される。
【００１０】
本発明によれば、また、炭素数２〜５のアルカンを分子状酸素の存在下に気相酸化脱水素して対応するオレフィンを製造する方法において、触媒として上記触媒を用いることを特徴とするオレフィンの製造法が提供される。
【００１１】
また、本発明によれば、上記の触媒を用いて、炭素数２〜５の低級アルカンを分子状酸素の存在下に気相酸化脱水素して得られたオレフィンを、酸素の存在下に気相酸化して不飽和アルデヒドおよび不飽和酸を得る方法を用いることにより、低級アルカンから不飽和アルデヒドおよび不飽和酸が高収率で得られる方法が提供される。
【００１２】
また、本発明によれば、上記で得られた不飽和アルデヒドを分子状酸素の存在下に気相酸化して不飽和酸を得る方法を用いることにより、低級アルカンから不飽和酸を高収率で製造する方法が提供される。
【００１３】
【発明の実施の形態】
炭素数２〜５の低級アルカンとは、具体的には、エタン、プロパン、ｎ−ブタン、イソブタン、ｎ−ペンタンおよびイソペンタンを意味する。本発明の触媒は、酸化脱水素反応によって、これら低級アルカンから対応するオレフィンを製造するのに、具体的には、エタンからエチレンを、プロパンからプロピレンを、ｎ−ブタンからｎ−ブテンを、イソブタンからイソブテンを、ｎ−ペンタンからｎ−ペンテンを、およびイソペンタンからイソペンテンを製造するのに使用される。これら低級アルカンは各々単独で用いても、あるいは２種以上を組み合わせた混合物として用いてもよい。本発明の酸化脱水素用触媒は、プロパンおよびイソブタンからそれぞれプロピレンおよびイソブテンを製造するのに特に好適に用いられる。
【００１４】
一般式（１）において、α＝１のとき、β＝０．０２〜２でγ＝０〜１である触媒が特に好ましい。
【００１５】
また、選択率および収率を向上させる目的のためには、一般式（Ｉ）において、Ｅ1成分がＰ、Ｓ、ｂ、Ｂ、Ｓ、Ｎｂ、ＷまたはＲｅであって、Ｅ2成分がＣｒ、Ｆｅ、Ｓｎ、Ｎａ、ＭｇまたはＣｅである触媒が好ましい。
【００１６】
本発明の一般式（１）で表される酸化脱水素用触媒は、活性向上および物理的耐久性向上の目的で、耐火性無機担体に担持して用いることもできる。耐火性無機担体としては、この種の触媒の調製に一般に用いられている耐火性無機担体を用いることができる。その代表例としては、シリカ、アルミナ、チタニア、ジルコニア、シリカ−アルミナ、シリカ−チタニア、シリカ−ジルコニアなどを挙げることができる。なかでも、シリカおよびシリカーアルミナが、目的物を高収率で与える点で、好ましい。シリカーアルミナにおけるシリカの割合は、通常、１０重量％以上１００重量％未満である。なお、触媒活性成分の担持量は、通常、耐火性無機担体の１０〜９０重量％である。
【００１７】
本発明の酸化脱水素用触媒の調製法には特に制限はなく、この種の触媒の調製に一般的に用いられている方法、ないしは用いることが知られている方法によって調製することができる。例えば、二酸化マンガン粉末のスラリーに、Ｅ1成分として、リン酸水溶液、三酸化アンチモン粉末、ホウ酸水溶液、硫酸アンモニウム水溶液、テルル酸水溶液、塩化アンモニウム水溶液、シュウ酸ニオブ水溶液、タングステン酸アンモニウム水溶液、酸化レニウム水溶液、硝酸銅水溶液などを添加し、必要に応じて、Ｅ2成分から選ばれる少なくとも１種の元素の化合物の水溶液を加え、さらに、必要に応じて、これにシリカ、アルミナなどのような担体を加え、一定時間混合攪拌しながら加熱濃縮し、得られたペーストを８０℃〜３００℃で乾燥し、これを粉砕し、成型し、必要により破砕してサイズ調整することによって、或いは、必要に応じて、これを８０℃〜３００℃で再度乾燥することによって、あるいは、さらに必要に応じて、この乾燥生物を３００℃〜８００℃で焼成することによって、所望の触媒を調製することができる。この焼成を行う際の雰囲気にはとくに制限はなく、大気中でも、高酸素濃度または低酸素濃度雰囲気中でも、また還元性雰囲気中でも、窒素、ヘリウム、アルゴン等のような不活性ガス雰囲気中でも、さらには真空中でも、行うことができる。しかし最も好ましいのは、高温での焼成を行わず、３００℃以下での乾燥処理の後、そのまま、アルカン、酸素を含む反応ガスに接触させることである。その際、所定の反応温度以上の温度で前処理を兼ねた反応をおこなってもよいし、直接所定の反応温度で反応を開始してもよい。後者の場合、反応初期に活性変化が観測されることがあるが、通常１時間以内で安定活性に到達する。
【００１８】
上記触媒の調製に用いられる原料には特に制限はなく、使用する元素の硝酸塩、硫酸塩、酸化物、水酸化物、塩化物、炭酸塩、酢酸塩、酸素酸、酸素酸アンモニウム塩などを使用することができる。
Ｍｎ源としては、各種酸化物粉末または成型品がそのまま使用できるほか、硝酸マンガン水溶液等をアンモニア水溶液等で処理して得られる水酸化マンガンスラリーも好適に使用できる。また、マンガン化合物を他の添加元素の化合物と一緒に水溶液から共沈させるなど、一般の触媒調製に用いられる手法はすべて適用できる。Ｓ源としては、硫酸水溶液や硫酸アンモニウム塩を用いてもよいし、その全部あるいは一部を他の添加元素の硫酸塩として導入してもよい。ハロゲン源についても同様に、ハロゲン化水素水溶液やハロゲン化アンモニウム塩を用いてもよいし、他の添加元素のハロゲン化物として導入しても良い。
【００１９】
また耐火性無機担体の使用形態についても特に制限はなく、成型体のほかに、酸化物または水酸化物の粉末、またはゲル、ゾルなど、触媒の使用形態にあわせて多様に使い分けることができる。
【００２０】
本発明の気相酸化脱水素反応を行う際の原料ガスとしては、低級アルカンおよび分子状酸素のほかに、必要に応じて、希釈ガスを用いることができる。分子状酸素源としては、空気または純酸素が使用される。分子状酸素は、通常、アルカン１モルあたり０．１〜５モルの割合で用いる。希釈ガスとしては、窒素、ヘリウム、炭酸ガスなどのような不活性ガスや水蒸気などが好適に用いられる。
【００２１】
本発明の気相酸化脱水素反応を実施する際の反応条件には特に制限はなく、例えば、空間速度３００〜３００００ｈｒ-1および反応温度２５０〜６５０℃の条件下に上記原料ガスを本発明の酸化脱水素用触媒に接触させればよい。上記反応は通常、常圧下で行うが、減圧下または加圧下でも実施することができる。反応方式についても特に制限はなく、固定床式、移動床式または流動床式のいずれでもよい。また単流方式でもリサイクル方式でもよい。
【００２２】
本発明の触媒を用いて、炭素数２〜５の低級アルカンを気相酸化脱水素（アルカン酸化脱水素工程）して得られたアルケンをさらに酸化して不飽和アルデヒドおよび不飽和酸（アルケン酸化工程）、さらに生成した不飽和アルデヒドを酸化して不飽和酸を製造（アルデヒド酸化工程）することができる。そして生成した不飽和アルデヒドおよび／または不飽和酸は、吸収塔によって捕集される（捕集工程）。本発明における酸素源としては、空気および／または、深冷分離法、Ｐ．Ｓ．Ａ．（圧力スイング吸着）法等によって製造される酸素を使用することができる。本発明によれば、低級アルカンから水素を副生する事無く、対応するアルケンを製造することができる。この場合、各工程に導入されるガスに必要に応じて酸素および／または水蒸気を追加する事ができ、これら追加する酸素および／または水蒸気は、例えば、空気、前述の酸素、水および／または捕集工程から排出されるガスによって供給される。
【００２３】
アルケン酸化工程で用いる触媒の一具体例としては、次の一般式（２）で表される触媒を挙げることができる。
【００２４】
Ｍｏa Ｂｉb Ｆｅc Ａd Ｂe Ｃf Ｄg Ｏx    ・・・・・・・（２）
ここで、Ｍｏはモリブデン、Ｂｉはビスマス、Ｆｅは鉄、Ａはコバルトおよびニッケルから選ばれる少なくとも１種の元素、Ｂは、アルカリ金属、タリウムから選ばれる少なくとも１種の元素、Ｃは、ケイ素、アルミニウム、ジルコニウムおよびチタンから選ばれる少なくとも１種の元素、Ｄは、タングステン、リン、テルル、アンチモン、スズ、セリウム、鉛、ニオブ、マンガン、ヒ素および亜鉛から選ばれる少なくとも１種の元素、Ｏは酸素を表し、それぞれの元素比は、ａ＝１２としたときｂ＝０.１〜１０、ｃ＝０.１〜２０、ｄ＝２〜２０、ｅ＝０.００１〜１０、ｆ＝０〜３０、ｇ＝０〜４、ｘは、酸素以外の元素の酸化状態によって定まる数値を表す。
【００２５】
また、アルデヒド酸化工程で用いる触媒の一具体例としては、次の一般式（３）で表される触媒を挙げることができる。
【００２６】
Ｍｏh Ｖi Ｗj Ｅk Ｆl Ｇm Ｈn Ｏx        ・・・・・・・（３）
ここで、Ｍｏはモリブデン、Ｖはバナジウム、Ｗはタングステン、Ｅは鋼、コバルト、ビスマス、および鉄から選ばれる少なくとも１種の元素、Ｆは、アンチモンおよびニオブから選ばれる少なくとも１種の元素、Ｇは、ケイ素、アルミニウム、ジルコニウム、およびチタンから選ばれる少なくとも１種の元素、Ｈは、アルカリ土類金属、タリウム、リン、テルル、スズ、セリウム、鉛、マンガンおよび亜鉛から選ばれる少なくとも１種の元素、Ｏは酸素を表し、それぞれの元素比は、ｈ＝１２としたとき、ｉ＝０.１〜１０、ｊ＝０〜１０、ｋ＝０.１〜２０、ｌ＝０〜１０、ｍ＝０〜１０、ｎ＝０〜３０、ｘは、酸素以外の元素の酸化状態によって定まる数値を表す。
【００２７】
上記触媒の調製に用いられる原料は、特に制限は無く使用する元素の硝酸塩、硫酸塩、酸化物、水酸化物、塩化物、炭酸塩、酢酸塩、金属酸、金属酸アンモニウム塩等を使用することができる。
【００２８】
【発明の効果】
本発明の低級アルカン酸化脱水素用触媒は酸化脱水素能に優れ、低級アルカンから対応するオレフィンを高収率で製造することができる。
【００２９】
また、公知の触媒系に比べて活性が高いため、同レベルのＳＴＹ（空時収率）を確保するために必要な触媒量が通常の１／３〜１／１０とはるかに少なくて済む。
【００３０】
また、本発明によれば、低級アルカンから不飽和アルデヒドおよび／または不飽和酸を安定にかつ高収率で製造することができる。
【００３１】
【実施例】
以下実施例を挙げて本発明をさらに具体的に説明する。ここで、「％」は断らない限り「重量％」を意味する。
【００３２】
なお、転化率、単流収率、および選択率は副生物を含めてそれぞれ以下のように定義される。
転化率（モル％）＝（反応したアルカンのモル数／供給したアルカンのモル数）ｘ１００
選択率（モル％）＝（生成した各化合物のモル数／反応したアルカンのモル数）ｘ（生成した各化合物の炭素数／供給したアルカンの炭素数）ｘ１００
単流収率（モル％）＝（生成した各化合物のモル数／供給したアルカンのモル数）ｘ（生成した各化合物の炭素数／供給したアルカンの炭素数）ｘ１００
＝転化率ｘ選択率／１００
実施例１
５００ｍｌビーカーに、二酸化マンガン粉末（ＭｎＯ２、キシダ化学、純度９９．９％）４．３５ｇおよび水２００ｍｌを加え、加熱攪拌した。これに三酸化アンチモン粉末（和光純薬工業、純度９９．９％）１．０９ｇを加え約８０℃に加熱し、２時間液量を保って攪拌を行った。この後、加熱温度を９０℃に上げて攪拌を続け、水分の蒸発によって約４時間濃縮を行った。得られたペーストを１２０℃で１４時間乾燥した後、らいかいし、成型し、破砕して９〜２０メッシュに大きさを揃えた。得られた触媒の組成は、Ｍｎ1Ｓｂ0.15Ｏxであった。この触媒０．６ｇを通常の流通式反応装置に充填し、下記条件下で反応を行った。
反応ガス：Ｃ3Ｈ8／Ｏ2／Ｎ2＝１／１／８（モル比）
供給速度：１１２．５ｍｌ／ｍｉｎ
ＳＶ：１２０００ｈｒ−１に相当（以下の実施例ではＳＶの表示は省略。触媒重量一定としているので触媒充填比重によりＳＶは多少変動する。）
反応温度：４５０℃
得られた結果を表１に示す。
【００３３】
実施例２
三酸化アンチモン粉末の量を１．８２ｇに変更した以外は実施例１と同様に触媒調製を行った。
得られた触媒の組成は、Ｍｎ1Ｓｂ0.25Ｏxであった。この触媒０．６ｇを使用し、実施例１と全く同じ条件で反応を行った。得られた結果を表１に示す。
【００３４】
実施例３
三酸化アンチモン粉末のかわりに、８５％リン酸（Ｈ3ＰＯ4、関東化学試薬特級）０．５８ｇを５０ｍｌの水で溶解させたものを添加した以外は実施例１と同様に触媒調製を行った。得られた触媒の組成は、Ｍｎ1Ｐ0.1Ｏxであった。この触媒０．６ｇを使用し、反応温度を４９０℃とした以外は実施例１と全く同じ条件で反応を行った。得られた結果を表１に示す。
【００３５】
実施例４
８５％リン酸の量を１．１５ｇに変更した以外は実施例３と同様に触媒調製を行った。得られた触媒の組成は、Ｍｎ1Ｐ0.2Ｏxであった。この触媒０．６ｇを使用し、実施例３と全く同じ条件で反応を行った。得られた結果を表１に示す。
【００３６】
実施例５
三酸化アンチモン粉末のかわりに、ホウ酸（Ｈ3ＢＯ3、関東化学試薬特級）０．３１ｇを５０ｍｌの水に溶解したものを添加した以外は実施例１と同様に触媒調製を行った。得られた触媒の組成は、Ｍｎ1Ｂ0.1Ｏxであった。この触媒０．６ｇを使用し、実施例３と全く同じ条件で反応を行った。得られた結果を表１に示す。
【００３７】
実施例６
三酸化アンチモン粉末のかわりに、硫酸アンモニウム（関東化学試薬特級）０．６６ｇを５０ｍｌの水に溶解したものを添加した以外は実施例１と同様に触媒調製を行った。得られた触媒の組成は、Ｍｎ1Ｓ0.1Ｏxであった。この触媒０．６ｇを使用し、実施例３と全く同じ条件で反応を行った。得られた結果を表１に示す。
【００３８】
実施例７
三酸化アンチモン粉末のかわりに、シュウ酸ニオブ（Ｃ．Ｂ．Ｍ．Ｍ社製、Ｎｂ2Ｏ5換算で２０．５％含有）１．６２ｇを１００ｍｌの水に溶解したものを加えた以外は実施例１と同様に触媒調製を行った。得られた触媒の組成はＭｎ1Ｎｂ0.05Ｏxであった。この触媒０．６ｇを使用し、実施例３と全く同じ条件で反応を行った。得られた結果を表１に示す。
【００３９】
実施例８
三酸化アンチモン粉末のかわりに、メタタングステン酸アンモニウム水溶液ＭＷー２（日本無機化学工業社製、ＷＯ3として５０％含有）１．１６ｇを５０ｍｌの水に希釈したものを加えた以外は実施例１と同様に触媒調製を行った。得られた触媒の組成はＭｎ1Ｗ0.05Ｏxであった。この触媒０．６ｇを使用し、実施例３と全く同じ条件で反応を行った。得られた結果を表１に示す。
【００４０】
実施例９
三酸化アンチモン粉末のかわりに、酸化レニウム（Ｒｅ2Ｏ7、キシダ化学、純度９９．９９％）０．６１ｇを５０ｍｌの水に溶解したものを加えた以外は実施例１と同様に触媒調製を行った。得られた触媒の組成はＭｎ1Ｒｅ0.05Ｏxであった。この触媒０．６ｇを使用し、実施例３と全く同じ条件で反応を行った。得られた結果を表１に示す。
【００４１】
実施例１０
三酸化アンチモン粉末のかわりに、硝酸銅（和光純薬工業、純度９９．９％）１．２１ｇを５０ｍｌの水に溶解したものを加えた以外は実施例１と同様に触媒調製を行った。得られた触媒の組成はＭｎ1Ｃｕ0.1Ｏxであった。この触媒０．６ｇを使用し、実施例３と全く同じ条件で反応を行った。得られた結果を表１に示す。
【００４２】
実施例１１
三酸化アンチモン粉末のかわりに、塩化アンモニウム（関東化学、試薬特級）１．０７ｇを５０ｍｌの水に溶解したものを加えた以外は実施例１と同様に触媒調製を行った。得られた触媒の組成はＭｎ1Ｃｌ0.4Ｏxであった。この触媒０．６ｇを使用し、実施例３と全く同じ条件で反応を行った。得られた結果を表１に示す。
【００４３】
実施例１２
三酸化アンチモン粉末の添加の後、硝酸クロム（Ｃｒ（ＮＯ3）3・９Ｈ2Ｏ、和光純薬工業、９９．９％純度）２．００ｇを５０ｍｌの水に溶解したものを加えた以外は、実施例１と同様に触媒調製を行った。得られた触媒の組成はＭｎ1Ｓｂ0.15Ｃｒ0.1Ｏxであった。この触媒０．６ｇを使用し、実施例１と全く同じ条件で反応を行った。得られた結果を表１に示す。
【００４４】
実施例１３
三酸化アンチモン粉末の添加の後、硝酸鉄（Ｆｅ（ＮＯ3）3・９Ｈ2Ｏ、和光純薬工業、試薬特級）２．０２ｇを５０ｍｌの水に溶解したものを加えた以外は実施例１と同様に触媒調製を行った。得られた触媒の組成はＭｎ1Ｓｂ0.15Ｆｅ0.1Ｏxであった。この触媒０．６ｇを使用し、実施例１と全く同じ条件で反応を行った。得られた結果を表１に示す。
【００４５】
実施例１４
三酸化アンチモン粉末の添加の後、硝酸ナトリウム（和光純薬工業、試薬特級）０．４２ｇを５０ｍｌの水に溶解したものを加えた以外は実施例１と同様に触媒調製を行った。得られた触媒の組成はＭｎ1Ｓｂ0.15Ｎａ0.1Ｏxであった。この触媒０．６ｇを使用し、実施例１と全く同じ条件で反応を行った。得られた結果を表１に示す。
【００４６】
実施例１５
三酸化アンチモン粉末の添加の後、硝酸マグネシウム（Ｍｇ（ＮＯ3）2・６Ｈ2Ｏ、和光純薬工業、試薬特級）１．２８ｇを５０ｍｌの水に溶解したものを加えた以外は実施例１と同様に触媒調製を行った。得られた触媒の組成はＭｎ1Ｓｂ0.15Ｍｇ0.1Ｏxであった。この触媒０．６ｇを使用し、実施例１と全く同じ条件で反応を行った。得られた結果を表１に示す。
【００４７】
実施例１６
三酸化アンチモン粉末の添加の後、硝酸セリウム（Ｃｅ（ＮＯ3）3・６Ｈ2Ｏ、和光純薬工業、試薬特級、純度９８％）２．２２ｇを５０ｍｌの水に溶解したものを加えた以外は実施例１と同様に触媒調製を行った。得られた触媒の組成はＭｎ1Ｓｂ0.15Ｃｅ0.1Ｏxであった。この触媒０．６ｇを使用し、実施例１と全く同じ条件で反応を行った。得られた結果を表１に示す。
【００４８】
実施例１７
三酸化アンチモン粉末の添加のかわりに、硫酸クロム（Ｃｒ2（ＳＯ4）3・４Ｈ2Ｏ、関東化学鹿１級）１．１１ｇを５０ｍｌの水に加熱溶解したものを加えた以外は実施例１と同様に触媒調製を行った。得られた触媒の組成はＭｎ1Ｓ0.15Ｃｒ0.1Ｏxであった。この触媒０．６ｇを使用し、実施例３と全く同じ条件で反応を行った。得られた結果を表１に示す。
【００４９】
実施例１８
三酸化アンチモン粉末の添加のかわりに、塩化第二スズ（ＳｎＣｌ4・５Ｈ2Ｏ、和光純薬工業、試薬特級）１．７５ｇを５０ｍｌの水に溶解したものを加えた以外は実施例１と同様に触媒調製を行った。得られた触媒の組成はＭｎ1Ｃｌ0.4Ｓｎ0.1Ｏxであった。この触媒０．６ｇを使用し、実施例３と全く同じ条件で反応を行った。得られた結果を表１に示す。
【００５０】
実施例１９
三酸化アンチモン粉末の添加の後、メタタングステン酸アンモニウム水溶液ＭＷー２の１．１６ｇを５０ｍｌの水で希釈したもの及び硝酸クロム２．００ｇを５０ｍｌの水に溶解したものを加えた以外は、実施例１と同様に触媒調製を行った。得られた触媒の組成はＭｎ1Ｓｂ0.15Ｗ0.05Ｃｒ0.1Ｏxであった。この触媒０．６ｇを使用し、実施例１と全く同じ条件で反応を行った。得られた結果を表１に示す。
【００５１】
実施例２０
実施例１９で使用したものと同じ触媒０．６ｇを使用し、反応温度を４９０℃とした以外は実施例１９と全く同じ条件で反応を行った。得られた結果を表１に示す。
【００５２】
実施例２１
三酸化アンチモン粉末の添加の後、メタタングステン酸アンモニウム水溶液ＭＷー２の１．１６ｇを５０ｍｌの水で希釈したもの及び硫酸クロム１．１１ｇを５０ｍｌの水に溶解したものを加えた以外は、実施例１と同様に触媒調製を行った。得られた触媒の組成はＭｎ1Ｓｂ0.15Ｗ0.05Ｓ0.15Ｃｒ0.1Ｏxであった。この触媒０．６ｇを使用し、実施例３と全く同じ条件で反応を行った。得られた結果を表１に示す。
【００５３】
実施例２２
実施例２１で使用したものと同じ触媒０．６ｇを使用し、反応温度を５３０℃とした以外は実施例２１と全く同じ条件で反応を行った。得られた結果を表１に示す。
【００５４】
実施例２３
三酸化アンチモン粉末の添加の後、メタタングステン酸アンモニウム水溶液ＭＷー２の１．１６ｇを５０ｍｌの水で希釈したもの、シュウ酸ニオブ１．６２ｇを１００ｍｌの水に溶解したもの、及び硝酸クロム２．００ｇを５０ｍｌの水に溶解したものを加えた以外は、実施例１と同様に触媒調製を行った。得られた触媒の組成はＭｎ1Ｓｂ0.15Ｗ0.05Ｎｂ0.05Ｃｒ0.1Ｏxであった。この触媒０．６ｇを使用し、実施例３と全く同じ条件で反応を行った。得られた結果を表１に示す。
【００５５】
実施例２４
実施例２３で使用したものと同じ触媒０．６ｇを使用し、反応温度を５３０℃とした以外は実施例２３と全く同様の条件で反応を行った。得られた結果を表１に示す。
【００５６】
比較例１
実施例１で使用したと同じ二酸化マンガン粉末をらいかいし、成型し、破砕して９〜２０メッシュにそろえた。この触媒０．６ｇを使用し、実施例１と全く同様の条件で反応を行った。得られた結果を表１に示す。
【００５７】
比較例２
比較例１で使用したものと同じ触媒０．６ｇを使用し、反応温度を４９０℃とした以外は実施例１と全く同じ条件で反応を行った。得られた結果を表１に示す。
【００５８】
【表１】
0003678335.tif 000002
実施例２５
プロパンのかわりにイソブタンを使用し、実施例１９と同じ触媒を使用してイソブテンの合成を行った。９〜２０メッシュの触媒０．６ｇを通常の流通式反応装置に充填し、ｉ−Ｃ4Ｈ10／Ｏ2／Ｎ2＝１／１／８（モル比）からなる反応ガスを１１２．５ｍｌ／ｍｉｎの速度で流通した。反応温度は４５０℃であった。結果はイソブタン転化率２６．５％、イソブテン選択率２７．５％、メタクロレイン選択率０．９％およびイソブテン単流収率７．３％であった。
【００５９】
実施例２６
独立して温度制御が可能な単管式流通反応装置（Ａ）、（Ｂ）、（Ｃ）からなり、（Ａ）、（Ｂ）、（Ｃ）の順にガスが流通するように各反応管を接続し、反応装置（Ｃ）の生成ガスは、吸収塔に導入し、凝縮成分を吸収するとともに、吸収塔から流出する非凝縮ガスを反応装置（Ａ）のガス入口部に導入できるように配管を接続して反応を行った。なお、装置（Ｂ）のガス導入部に新たに空気を導入できるように配管を接続した。
（触媒の調製）
実施例２１に記載の触媒１０ｃｃを反応装置（Ａ）に充填し、反応装置（Ｂ）には特公昭４７−４２２４１号の実施例１に記載の下記組成比（酸素を除く）の触媒４０ｃｃを充填し、
Ｍｏ10Ｃｏ4Ｂｉ1Ｆｅ1Ｗ2Ｓｉ1.35Ｋ0.05
反応装置（Ｃ）には、特開平８−２０６５０４号の実施例１に記載の下記組成比（酸素を除く）の触媒４０ｃｃを充填した。
【００６０】
Ｍｏ12Ｖ6.1Ｗ1Ｃｕ2.3Ｓｂ1.2
反応ガス組成がＣ3Ｈ8  １５ｖｏｌ％、Ｏ2  １５ｖｏｌ％、窒素、酸化炭素等からなる不活性ガス７０ｖｏｌ％となるように反応装置（Ａ）のガス導入部においてプロパン、空気、回収ガスの流量を制御した。この時、酸化脱水素用触媒に対する空間速度は、３０００Ｈｒ-1であった。次に反応装置（Ａ）での生成ガスを反応装置（Ｂ）に供給する際にＯ2／Ｃ3Ｈ6比が反応装置（Ｂ）の入口部で２.５となるように空気を追加して反応装置（Ｂ）に供給し、更に反応装置（Ｂ）の生成ガスを反応装置（Ｃ）に供給した。この時、反応装置（Ａ）、（Ｂ）、）Ｃ）の反応温度はそれぞれ４８０、３２５、２５０℃であった。
反応装置（Ｃ）からの生成ガスを分析したところＣ3Ｈ8転化率４５.５モル％アクリル酸収率２０.７モル％であった。
【００６１】
実施例２７
実施例２６で用いた連続装置中の反応装置（Ｃ）のガス導入部に新たに空気、水蒸気を導入できるように配管を接続し、反応ガス組成がＣ3Ｈ8  ３０ｖｏｌ％、Ｏ2  ３０ｖｏｌ％、窒素、酸化炭素等からなる不活性ガス  ４０ｖｏｌ％となるように反応装置（Ａ）のガス導入部においてプロパン、酸素ガスの流量を制御した。この時、酸化脱水素用触媒に対する空間速度は、４０００Ｈｒ-1であった。次に反応装置（Ａ）での生成ガスを反応装置（Ｂ）に供給する際にＯ2／Ｃ3Ｈ6比が反応装置（Ｂ）のガス導入部で１.５となるように空気を追加して反応装置（Ｂ）に供給し、更に反応装置（Ｃ）のガス導入部でＯ2／アクロレイン比が１.３、水蒸気温度が３５ｖｏｌ％となるように空気、水蒸気を追加して反応装置（Ｃ）に供給した。その他の条件は、追加実施例１と同等とした。反応装置（Ｃ）からの生成ガスを分析したところＣ3Ｈ8転化率４４.１モル％、アクリル酸収率２０.１モル％であった。